(57)【要約】【課題】  ドラム内で洗濯物を二つに分け、下側の洗濯物２１を大量の洗浄剤２０で洗うと共に、上側の洗濯物２１に叩き洗いなどの強力な操作を施すことのできる洗濯機を提供することを目的とする。【解決手段】  洗浄液２０を収容する外槽３と、当該外槽３の上端部にほぼ水平に配置された中空８でその外壁に多数の小孔９を穿設した回転軸４と、当該回転軸４に洗浄液２０を供給するポンプ１０と、前記回転軸４と共に回転し、その中に洗濯物２１を収容し、その外周面に多数の小孔１５を穿設してなるドラム５と、当該ドラム５と前記回転軸４とを前記ドラム５の直径面で接続し、多数の小孔１８を穿設した分割板１７と、前記ドラム５の外周面に前記分割板１７の両側にそれぞれ設けられた開閉可能の扉１９とよりなり、前記ドラム５における分割板１７の両側にそれぞれ洗濯物２１を収容し、前記回転軸４を中心として回転させることを特徴とする【選択図】          図１
2015036081.tif 000002
【特許請求の範囲】
【請求項１】
洗浄液（２０）を収容する外槽（３）と、当該外槽（３）の上端部にほぼ水平に配置された中空（８）でその外壁に多数の小孔（９）を穿設した回転軸（４）と、当該回転軸（４）に洗浄液（２０）を供給するポンプ（１０）と、前記回転軸（４）と共に回転し、その中に洗濯物（２１）を収容し、その外周面に多数の小孔（１５）を穿設してなるドラム（５）と、当該ドラム（５）と前記回転軸（４）とを前記ドラム（５）の直径面で接続し、多数の小孔（１８）を穿設した分割板（１７）と、前記ドラム（５）の外周面に前記分割板（１７）の両側にそれぞれ設けられた開閉可能の扉（１９）とよりなり、前記ドラム（５）における分割板（１７）の両側にそれぞれ洗濯物（２１）を収容し、前記回転軸（４）を中心として回転させることを特徴とする、洗濯機
【発明の詳細な説明】
【技術分野】
【０００１】
本発明は主として業務用の洗濯機に関するものであって、特に布団などの大型の洗濯物を洗濯するのに適した洗濯機に関するものである。
【背景技術】
【０００２】
従来から布団などの大型の洗濯物を洗濯することができる洗濯機として、特開２００６−３１２０７３号公報や、特開２００６−８１７１２号公報などに示されたものが知られている。
【０００３】
これらの洗濯機は、水平軸の周りに回転する回転ドラム式の洗濯機であって、そのドラム内に洗濯物を収容し、そのドラムを回転しながらそのドラムの内側に張り付いた洗濯物を内側から洗浄液を掛けて洗うものであった。
【０００４】
しかしながらこのような洗濯機では、洗濯物はドラムの内側に張り付いたままであって動くことがなく、また洗浄剤の量が少ないため、十分に洗濯できない可能性がある。特に叩き洗いなどの強力な洗濯が不可能である。
【先行技術文献】
【特許文献】
【０００５】
【特許文献１】特開２００６−３１２０７３号公報
【特許文献２】特開２００６−８１７１２号公報
【発明の概要】
【発明が解決しようとする課題】
【０００６】
本発明はかかる事情に鑑みなされたものであって、ドラム内で洗濯物を二つに分け、下側の洗濯物を大量の洗浄剤で洗うと共に、上側の洗濯物に叩き洗いなどの強力な操作を施すことのできる洗濯機を提供することを目的とするものである。
【課題を解決するための手段】
【０００７】
而して本発明は、洗浄液を収容する外槽と、当該外槽の上端部にほぼ水平に配置された中空でその外壁に多数の小孔を穿設した回転軸と、当該回転軸と共に回転し、その中に洗濯物を収容し、その外周面に多数の小孔を穿設してなるドラムと、当該ドラムと前記回転軸とを前記ドラムの直径面で接続し、多数の小孔を穿設した分割板と、前記ドラムの外周面に前記分割板の両側にそれぞれ設けられた開閉可能の扉とよりなり、前記ドラムにおける分割板の両側にそれぞれ洗濯物を収容し、前記回転軸を中心として回転させることを特徴とするものである。
【発明の効果】
【０００８】
本発明によれば、前記外槽に洗浄液を収容して、その洗浄液にドラムの下半分を浸漬した状態でドラムを回転させ、さらに必要に応じて回転軸から洗浄液を噴射することにより、種々の洗い方で洗濯をすることができる。
【０００９】
例えばドラムの内面に洗濯物が貼り付かない程度の速度でドラムを回転させることにより、洗濯物が洗浄液内にあるときは当該洗浄液で濯ぎ洗いがなされ、その洗濯物がドラムの回転によりドラムの上半部に移動したときには、その洗濯物が重力により分割板上に落下し、叩き洗いの効果が得られる。
【図面の簡単な説明】
【００１０】
【図１】本発明の洗濯機の横断面図
【図２】本発明の洗濯機の中央縦断面図
【発明を実施するための形態】
【００１１】
以下本発明を図面に従って説明する。図面は本発明の洗濯機を示すものである。１は外殻体であって、その正面には洗濯物を出し入れするための、開閉可能の扉２が設けられている。そしてその外殻体１内には外槽３が設けられており、当該外槽３内には洗浄液が収容されている。
【００１２】
而して当該外槽３における正面部の上端部には、ほぼ水平に配置された回転軸４が懸架されており、当該回転軸４には当該回転軸４と一体となって回転するドラム５が取り付けられている。
【００１３】
前記回転軸４は前記外槽３の側壁６に軸受け７により軸支されており、その一端に取り付けられたプーリー１１を介して、モーター１２によりベルト１３を介して回転するようになっている。
【００１４】
またその回転軸４の内部は中空８であって、その外壁に多数の小孔９が穿設されており、その一端に接続されたポンプ１０により、前記外槽３内の洗浄剤を前記小孔９から噴出するようになっている。
【００１５】
前記ドラム５は両側部に円板１４を有し、当該円板１４の中心において前記回転軸４に結合され、その円板１４の外周に多数の小孔１５を穿設した円筒体１６が取り付けられている。
【００１６】
而して本発明においては、前記ドラム５の内面と回転軸４とを、前記ドラム５の直径面で接続する分割板１７が設けられており、当該分割板１７には多数の小孔１８が穿設されている。また前記ドラム５における円筒体１６には、前記分割板１７の両側にそれぞれ開閉可能の扉１９が設けられている。
【００１７】
而して本発明の洗濯機を使用するには、先ず外槽３内に洗浄液２０を満たし、図１に鎖線で示すように外殻体１の扉２を開き、さらにドラム５における扉１９も開いて、ドラム５内の分割板１７の上側に洗濯物２１を収容し、扉１９を閉じる。さらにドラム５を半回転させて分割板１７の下側を上側とし、再度扉１９を開いて分割板１７の上に洗濯物２１を収容し、その扉１９を閉じる。
【００１８】
この状態でモーター１２でドラム５を回転させ、洗濯物２１を洗浄剤２０に出入りさせることにより、洗濯物２１を洗濯する。このとき必要に応じて、ポンプ１０により洗浄剤２０を回転軸４の小孔９から噴射させることもできる。
【００１９】
本発明の洗濯機によれば、次のような種々の洗濯方法を行うことができる。
１．浸漬洗浄
図１の状態からドラム５を半回転させ、分割板１７の下側にあった洗濯物２１を分割板１７の上側に移動させ、そこでしばらく停止させることを繰り返すことにより、洗濯物２１に含浸されていた洗浄剤２０が分割板１７の小孔１８を通して分割板１７の下部に移行し、そのときに洗濯物２１の繊維の間を通って汚れを除去する。
【００２０】
またこのとき分割板１７の下部に移動していた洗濯物２１は、洗浄剤２０に浸漬されて洗浄剤２０を含浸し、次回に半回転して分割板１７の上側に移動したときに、洗浄剤２０を小孔１８から分割板１７の下部に移行させる。
【００２１】
２．ゆりかご洗浄
前記浸漬洗浄において、しばらくドラム５の回転を停止させるのに代えて、前後４５度程度の範囲内でゆっくりと往復回転運動をさせることにより、洗濯物２１に洗浄剤２０が含浸し易くなる。
【００２２】
３．シャワー洗浄
前記浸漬洗浄において、前記外槽３内の洗浄剤２０の量を減らし、ドラム５の回転を停止している間、洗浄剤２０をポンプ１０で回転軸４の小孔９から噴出させことにより、洗濯物２１に新しい洗浄剤２０が含浸する。
【００２３】
４．叩き洗浄
ドラム５の内面に洗濯物２１が貼り付くことがない程度の速度でドラム５を回転させることにより、洗濯物２１が洗浄液２０内にあるときは当該洗浄液２０で濯ぎ洗いがなされ、その洗濯物２１がドラム５の回転により分割板１７の上側に移動したときには、その洗濯物が重力により分割板１７上に落下し、叩き洗浄の効果が得られる。この叩き洗浄の効果がえられることが、本発明の最大の特徴である。
【００２４】
５．すすぎ
外槽３内の洗浄剤２０を除去し、ドラム５の内面に洗濯物２１が張り付く程度の速度でドラム５を回転しつつ、ポンプ１０により水管２２を介して水を供給し、回転軸４の小孔９からその水を噴射させることにより、当該水を内側から洗濯物２１に含浸させると共に、回転による遠心力によりドラム５の小孔１５からドラム５外に排出され、すすぎ効果が得られる。
【００２５】
６．脱水
ドラム５を高速で回転させることにより、洗濯物２１に含まれていた洗浄剤２０または水はドラム５の小孔１５から外槽３内に排出され、脱水することができる。
【００２６】
脱水した洗濯物２１は、ドラム５の回転が停止した後、扉２及び扉１９を開いて、分割板１７の上下からそれぞれ洗濯物２１を取り出す。なお外殻体１の背面にも扉２を設けることにより、前面から洗濯物２１を取り出しながら、背面から新たな洗濯物２１を収容することも可能である。
【００２７】
なお本発明においては分割板１７の上下にそれぞれ洗濯物２１を収容するものであり、特に布団などの大型の洗濯物２１を洗濯する場合には、それを二組同時に収容するため、大型の洗濯機とならざるを得ない。
【００２８】
しかしながら本発明においては、分割板１７の上下にそれぞれ洗濯物２１を収容しているためバランスが良く、高速回転により脱水する場合においても、従来の布団洗浄可能の洗濯機のようにガタツキが生じることがなく、常に安定して運転することが可能となるのである。
【産業上の利用可能性】
【００２９】
本発明については布団を洗濯できる洗濯機として説明しているが、ことさらに布団のみに特化したものではなく、通常の衣類などの洗濯にも使用することができることは言うまでもない。
【符号の説明】
【００３０】
３  外槽
４  回転軸
５  ドラム
８  中空
９  小孔
１０  ポンプ
１５  小孔
１７  分割板
１８  小孔
１９  扉
２０  洗浄剤
２１  洗濯物
【図１】
2015036081.tif 000003
【図２】
2015036081.tif 000004